(57)【特許請求の範囲】
【請求項１】
無線により通信を中継する中継装置と、無線信号の到達範囲内に所定情報を無線送信する情報送信装置と、前記中継装置及び前記情報送信装置との無線通信を行うことが可能な通信端末装置とを備える無線通信システムであって、
前記通信端末装置は、
前記情報送信装置から無線送信される所定情報を受信する情報受信部と、
該情報受信部が受信した所定情報に応じて、前記中継装置との間で認証処理を行うための認証情報を取得する認証情報取得部と、
該認証情報取得部が取得した認証情報を用いて前記中継装置との間で認証処理を行う認証処理部と
を有し、
前記中継装置は、前記認証処理を行った通信端末装置との間で無線通信を行うようにしてあり、
前記所定情報及び前記認証情報を対応付けて記憶した記憶部を有するサーバ装置と、
前記サーバ装置と通信可能な第２の通信端末装置と
を更に備え、
前記通信端末装置は、前記情報受信部が受信した所定情報を前記サーバ装置へ送信し、
前記サーバ装置は、
前記通信端末装置から前記所定情報を受信した場合に、前記第２の通信端末装置へ前記認証情報の送信の許可を要求する要求部を有し、
該要求部の要求に対する前記第２の通信端末装置からの許可が得られた場合に、前記通信端末装置から受信した所定情報に対応付けられた認証情報を前記記憶部から読み出して前記通信端末装置へ送信し、
前記認証情報取得部は、前記サーバ装置が送信した前記認証情報を受信して取得するようにしてあること
を特徴とする無線通信システム。
【請求項２】
前記通信端末装置は、前記情報送信装置からの無線信号を受信しない場合に、前記中継装置との無線通信を遮断する遮断部を有すること
を特徴とする請求項１に記載の無線通信システム。
【請求項３】
前記通信端末装置は、前記認証情報取得部が取得した認証情報を記憶する記憶部を有し、
前記遮断部は、前記中継装置との無線通信を遮断すると共に、前記記憶部に記憶された認証情報を消去するようにしてあること
を特徴とする請求項２に記載の無線通信システム。
【請求項４】
前記通信端末装置は、第２の所定情報を記憶する記憶部を有し、
前記通信端末装置の前記認証情報取得部は、前記情報受信部が受信した所定情報及び前記記憶部に記憶された第２の所定情報を前記サーバ装置へ送信し、
前記サーバ装置は、
前記通信端末装置から受信した前記第２の所定情報の正否を判定する判定部を有し、
該判定部が前記第２の所定情報が正しいと判定した場合に、前記通信端末装置から受信した所定情報に対応付けられた認証情報を前記記憶部から読み出して前記通信端末装置へ送信するようにしてあること
を特徴とする請求項１から請求項３までのいずれか１つに記載の無線通信システム。
【請求項５】
前記通信端末装置は、
前記第２の所定情報の入力を受け付ける入力受付部を有し、
該入力受付部が受け付けた第２の所定情報を前記記憶部に記憶するようにしてあること
を特徴とする請求項４に記載の無線通信システム。
【請求項６】
前記第２の通信端末装置は、前記サーバ装置の前記要求部からの要求に応じて、前記認証情報の送信の可否に係る入力を受け付け、受け付けた可否に係る情報を前記サーバ装置へ送信するようにしてあること
を特徴とする請求項１から請求項５までのいずれか１つに記載の無線通信システム。
【請求項７】
無線により通信を中継する中継装置と、無線信号の到達範囲内に所定情報を無線送信する情報送信装置と、前記中継装置及び前記情報送信装置との無線通信を行うことが可能な通信端末装置とを備える無線通信システムであって、
前記通信端末装置は、
前記情報送信装置から無線送信される所定情報を受信する情報受信部と、
該情報受信部が受信した所定情報に応じて、前記中継装置との間で認証処理を行うための認証情報を取得する認証情報取得部と、
該認証情報取得部が取得した認証情報を用いて前記中継装置との間で認証処理を行う認証処理部と
を有し、
前記中継装置は、前記認証処理を行った通信端末装置との間で無線通信を行うようにしてあり、
前記所定情報及び前記認証情報を対応付けて記憶した記憶部を有するサーバ装置と、
前記サーバ装置及び前記情報送信装置との間で無線通信を行うことが可能な第２の通信端末装置と
を更に備え、
前記通信端末装置は、前記情報受信部が受信した所定情報を前記サーバ装置へ送信し、
前記サーバ装置は、前記通信端末装置から受信した所定情報に対応付けられた認証情報を前記記憶部から読み出して前記通信端末装置へ送信し、
前記認証情報取得部は、前記サーバ装置が送信した前記認証情報を受信して取得するようにしてあり、
前記第２の通信端末装置は、前記情報送信装置からの無線信号の受信の可否を前記サーバ装置へ通知し、
前記サーバ装置は、前記第２の通信端末装置から無線信号を受信しない旨の通知が与えられた場合に、前記通信端末装置及び前記中継装置の無線通信を遮断する遮断部を有すること
を特徴とする無線通信システム。
【請求項８】
前記サーバ装置の前記遮断部は、前記通信端末装置へ無線通信の遮断命令を送信するようにしてあり、
前記通信端末装置は、前記サーバ装置から前記遮断命令を受信した場合に、前記中継装置との無線通信を遮断する遮断部を有すること
を特徴とする請求項７に記載の無線通信システム。
【請求項９】
無線により通信を中継する中継装置、及び、該中継装置との無線通信を行うことが可能な通信端末装置の間の無線通信を制御する通信制御方法であって、
無線信号の到達範囲内に所定情報を無線送信する情報送信装置から、前記通信端末装置が前記所定情報を受信し、
前記通信端末装置が受信した前記所定情報を、前記所定情報及び認証情報を対応付けて記憶した記憶部を有するサーバ装置へ送信し、
前記所定情報を受信した場合に、前記サーバ装置が第２の通信端末装置へ前記認証情報の送信の許可を要求し、
前記第２の通信端末装置からの許可が得られた場合に、前記サーバ装置が、前記通信端末装置から受信した所定情報に対応付けられた認証情報を前記記憶部から読み出して前記通信端末装置へ送信し、
前記通信端末装置が、前記サーバ装置が送信した前記認証情報を受信して取得し、
取得した認証情報を用いて前記中継装置との間で認証処理を行い、
該認証処理を行った前記中継装置及び前記通信端末装置の間で無線通信を行うこと
を特徴とする通信制御方法。
【請求項１０】
無線により通信を中継する中継装置、及び、該中継装置との無線通信を行うことが可能な通信端末装置の間の無線通信を制御する通信制御方法であって、
無線信号の到達範囲内に所定情報を無線送信する情報送信装置から、前記通信端末装置が前記所定情報を受信し、
前記通信端末装置が受信した前記所定情報を、前記所定情報及び認証情報を対応付けて記憶した記憶部を有するサーバ装置へ送信し、
前記サーバ装置が、前記通信端末装置から受信した所定情報に対応付けられた認証情報を前記記憶部から読み出して前記通信端末装置へ送信し、
前記通信端末装置が、前記サーバ装置が送信した前記認証情報を受信して取得し、
取得した認証情報を用いて前記中継装置との間で認証処理を行い、
該認証処理を行った前記中継装置及び前記通信端末装置の間で無線通信を行い、
前記サーバ装置及び前記情報送信装置との間で無線通信を行うことが可能な第２の通信端末装置が、前記情報送信装置からの無線信号の受信の可否を前記サーバ装置へ通知し、
前記サーバ装置は、前記第２の通信端末装置から無線信号を受信しない旨の通知が与えられた場合に、前記通信端末装置及び前記中継装置の無線通信を遮断すること
を特徴とする通信制御方法。
【発明の詳細な説明】
【技術分野】
【０００１】
本発明は、中継装置及び通信端末装置による無線通信の可否を制御し得る無線通信システム及び通信制御方法に関する。
【背景技術】
【０００２】
スマートフォン又はタブレット型端末装置等の通信端末装置は、無線ＬＡＮ（Local Area Network）のルータを介してインターネットなどのネットワーク接続を行う機能を有している。従来、通信端末装置が無線ＬＡＮのルータを利用するためには、ルータに設定されているＳＳＩＤ（Service Set IDentifier）及びパスワード等の認証情報をユーザが予め知り、利用の際に通信端末装置へ情報を入力する必要があった。また無線ＬＡＮのルータには、特定のボタン操作を行うことによって、通信端末装置との間で情報交換を行い、ルータの利用に必要な設定を自動的に行う機能を有しているものがある。これによりユーザは通信端末装置に置ける情報入力の手間を省くことができるが、ルータの設置場所へ行ってボタン操作を行う必要があった。
【０００３】
特許文献１においては、互いに独立したネットワークを構成する第１無線通信部及び第２無線通信部を備え、第１無線通信部は自身のセキュリティ情報を公開せず、第２無線通信部は自身のセキュリティ情報を公開する構成とした無線通信システムが提案されている。この無線通信システムでは、第２無線通信部は予め定められた特定情報を送信する無線通信装置に対して第１無線通信部のセキュリティ情報を送信し、これを受信した無線通信装置と第１無線通信部とが無線通信を行うことが可能となる。
【先行技術文献】
【特許文献】
【０００４】
【特許文献１】特開２０１２−７０２２０号公報
【発明の概要】
【発明が解決しようとする課題】
【０００５】
しかしながら、特許文献１に記載の無線通信システムでは、第２無線通信部との無線通信を行うために、無線通信装置のユーザは、例えば第２無線通信部に係るセキュリティ情報の入力操作又はルータのボタン操作等を行う必要がある。よって特許文献１に記載の無線通信システムは、無線通信を利用開始するために必要とされるユーザの操作が煩雑であるという上述の問題を有しており、この問題を解決し得るものではない。
【０００６】
また、例えばルータが設置された部屋内にのみ無線通信の利用を制限するなど、無線通信の利用範囲を制限する要望がある。しかしながら従来の無線通信システムでは、ルータとの間で無線信号が送受信できる範囲内であれば、ルータが設置された部屋の内外に関係なく、無線通信を利用することが可能となってしまうという問題があった。
【０００７】
本発明は、斯かる事情に鑑みてなされたものであって、その目的とするところは、無線通信の利用を容易化することが期待できる無線通信システム及び通信制御方法を提供することにある。また他の目的とするところは、無線通信の利用範囲の制限を実現し得る無線通信システム及び通信制御方法を提供することにある。
【課題を解決するための手段】
【０００８】
本発明に係る無線通信システムは、無線により通信を中継する中継装置と、無線信号の到達範囲内に所定情報を無線送信する情報送信装置と、前記中継装置及び前記情報送信装置との無線通信を行うことが可能な通信端末装置とを備える無線通信システムであって、前記通信端末装置は、前記情報送信装置から無線送信される所定情報を受信する情報受信部と、該情報受信部が受信した所定情報に応じて、前記中継装置との間で認証処理を行うための認証情報を取得する認証情報取得部と、該認証情報取得部が取得した認証情報を用いて前記中継装置との間で認証処理を行う認証処理部とを有し、前記中継装置は、前記認証処理を行った通信端末装置との間で無線通信を行うようにしてあり、前記所定情報及び前記認証情報を対応付けて記憶した記憶部を有するサーバ装置と、前記サーバ装置と通信可能な第２の通信端末装置とを更に備え、前記通信端末装置は、前記情報受信部が受信した所定情報を前記サーバ装置へ送信し、前記サーバ装置は、前記通信端末装置から前記所定情報を受信した場合に、前記第２の通信端末装置へ前記認証情報の送信の許可を要求する要求部を有し、該要求部の要求に対する前記第２の通信端末装置からの許可が得られた場合に、前記通信端末装置から受信した所定情報に対応付けられた認証情報を前記記憶部から読み出して前記通信端末装置へ送信し、前記認証情報取得部は、前記サーバ装置が送信した前記認証情報を受信して取得するようにしてあることを特徴とする。
【０００９】
また、本発明に係る無線通信システムは、前記通信端末装置が、前記情報送信装置からの無線信号を受信しない場合に、前記中継装置との無線通信を遮断する遮断部を有することを特徴とする。
【００１０】
また、本発明に係る無線通信システムは、前記通信端末装置が、前記認証情報取得部が取得した認証情報を記憶する記憶部を有し、前記遮断部は、前記中継装置との無線通信を遮断すると共に、前記記憶部に記憶された認証情報を消去するようにしてあることを特徴とする。
【００１２】
また、本発明に係る無線通信システムは、前記通信端末装置が、第２の所定情報を記憶する記憶部を有し、前記通信端末装置の前記認証情報取得部は、前記情報受信部が受信した所定情報及び前記記憶部に記憶された第２の所定情報を前記サーバ装置へ送信し、前記サーバ装置は、前記通信端末装置から受信した前記第２の所定情報の正否を判定する判定部を有し、該判定部が前記第２の所定情報が正しいと判定した場合に、前記通信端末装置から受信した所定情報に対応付けられた認証情報を前記記憶部から読み出して前記通信端末装置へ送信するようにしてあることを特徴とする。
【００１３】
また、本発明に係る無線通信システムは、前記通信端末装置が、前記第２の所定情報の入力を受け付ける入力受付部を有し、該入力受付部が受け付けた第２の所定情報を前記記憶部に記憶するようにしてあることを特徴とする。
【００１５】
また、本発明に係る無線通信システムは、前記第２の通信端末装置は、前記サーバ装置の前記要求部からの要求に応じて、前記認証情報の送信の可否に係る入力を受け付け、受け付けた可否に係る情報を前記サーバ装置へ送信するようにしてあることを特徴とする。
【００１６】
また、本発明に係る無線通信システムは、無線により通信を中継する中継装置と、無線信号の到達範囲内に所定情報を無線送信する情報送信装置と、前記中継装置及び前記情報送信装置との無線通信を行うことが可能な通信端末装置とを備える無線通信システムであって、前記通信端末装置は、前記情報送信装置から無線送信される所定情報を受信する情報受信部と、該情報受信部が受信した所定情報に応じて、前記中継装置との間で認証処理を行うための認証情報を取得する認証情報取得部と、該認証情報取得部が取得した認証情報を用いて前記中継装置との間で認証処理を行う認証処理部とを有し、前記中継装置は、前記認証処理を行った通信端末装置との間で無線通信を行うようにしてあり、前記所定情報及び前記認証情報を対応付けて記憶した記憶部を有するサーバ装置と、前記サーバ装置及び前記情報送信装置との間で無線通信を行うことが可能な第２の通信端末装置とを更に備え、前記通信端末装置は、前記情報受信部が受信した所定情報を前記サーバ装置へ送信し、前記サーバ装置は、前記通信端末装置から受信した所定情報に対応付けられた認証情報を前記記憶部から読み出して前記通信端末装置へ送信し、前記認証情報取得部は、前記サーバ装置が送信した前記認証情報を受信して取得するようにしてあり、前記第２の通信端末装置は、前記情報送信装置からの無線信号の受信の可否を前記サーバ装置へ通知し、前記サーバ装置は、前記第２の通信端末装置から無線信号を受信しない旨の通知が与えられた場合に、前記通信端末装置及び前記中継装置の無線通信を遮断する遮断部を有することを特徴とする。
【００１７】
また、本発明に係る無線通信システムは、前記サーバ装置の前記遮断部が、前記通信端末装置へ無線通信の遮断命令を送信するようにしてあり、前記通信端末装置は、前記サーバ装置から前記遮断命令を受信した場合に、前記中継装置との無線通信を遮断する遮断部を有することを特徴とする。
【００１８】
また、本発明に係る通信制御方法は、無線により通信を中継する中継装置、及び、該中継装置との無線通信を行うことが可能な通信端末装置の間の無線通信を制御する通信制御方法であって、無線信号の到達範囲内に所定情報を無線送信する情報送信装置から、前記通信端末装置が前記所定情報を受信し、前記通信端末装置が受信した前記所定情報を、前記所定情報及び認証情報を対応付けて記憶した記憶部を有するサーバ装置へ送信し、前記所定情報を受信した場合に、前記サーバ装置が第２の通信端末装置へ前記認証情報の送信の許可を要求し、前記第２の通信端末装置からの許可が得られた場合に、前記サーバ装置が、前記通信端末装置から受信した所定情報に対応付けられた認証情報を前記記憶部から読み出して前記通信端末装置へ送信し、前記通信端末装置が、前記サーバ装置が送信した前記認証情報を受信して取得し、取得した認証情報を用いて前記中継装置との間で認証処理を行い、該認証処理を行った前記中継装置及び前記通信端末装置の間で無線通信を行うことを特徴とする。
また、本発明に係る通信制御方法は、無線により通信を中継する中継装置、及び、該中継装置との無線通信を行うことが可能な通信端末装置の間の無線通信を制御する通信制御方法であって、無線信号の到達範囲内に所定情報を無線送信する情報送信装置から、前記通信端末装置が前記所定情報を受信し、前記通信端末装置が受信した前記所定情報を、前記所定情報及び認証情報を対応付けて記憶した記憶部を有するサーバ装置へ送信し、前記サーバ装置が、前記通信端末装置から受信した所定情報に対応付けられた認証情報を前記記憶部から読み出して前記通信端末装置へ送信し、前記通信端末装置が、前記サーバ装置が送信した前記認証情報を受信して取得し、取得した認証情報を用いて前記中継装置との間で認証処理を行い、該認証処理を行った前記中継装置及び前記通信端末装置の間で無線通信を行い、前記サーバ装置及び前記情報送信装置との間で無線通信を行うことが可能な第２の通信端末装置が、前記情報送信装置からの無線信号の受信の可否を前記サーバ装置へ通知し、前記サーバ装置は、前記第２の通信端末装置から無線信号を受信しない旨の通知が与えられた場合に、前記通信端末装置及び前記中継装置の無線通信を遮断することを特徴とする。
【発明の効果】
【００２１】
本発明による場合は、情報送信装置から所定情報を受信した通信端末装置が所定情報に応じた認証情報を取得して中継装置との認証処理を行う構成とすることにより、ユーザは中継装置を利用するための認証情報を通信端末装置に入力するなどの作業を行う必要がなくなるため、無線通信の利用を容易化することができる。また、中継装置を利用するためには情報送信装置からの所定情報を通信端末装置が受信する必要があるため、中継装置の利用開始を情報送信装置による所定情報の送信範囲内に制限することができる。
【図面の簡単な説明】
【００２２】
【図１】実施の形態１に係る無線通信システムの構成を示す模式図である。
【図２】通信端末装置の構成を示すブロック図である。
【図３】サーバ装置の構成を示すブロック図である。
【図４】認証情報ＤＢの一例を示す模式図である。
【図５】通信端末装置が無線ルータとの無線通信を開始するまでの処理の手順を示すフローチャートである。
【図６】サーバ装置が行う処理の手順を示すフローチャートである。
【図７】通信端末装置が行う無線通信の遮断処理の手順を示すフローチャートである。
【図８】実施の形態２に係る無線通信システムの構成を示す模式図である。
【図９】実施の形態２に係る通信端末装置が行うゲストＩＤの入力受付処理の手順を示すフローチャートである。
【図１０】実施の形態２に係る通信端末装置が行うサーバ装置３への情報送信処理の手順を示すフローチャートである。
【図１１】実施の形態２に係るサーバ装置が行う処理の手順を示すフローチャートである。
【図１２】実施の形態３に係る無線通信システムの構成を示す模式図である。
【図１３】実施の形態３に係るサーバ装置が行う処理の手順を示すフローチャートである。
【図１４】実施の形態３に係る管理者用端末装置が行う処理の手順を示すフローチャートである。
【図１５】実施の形態４に係る無線通信システムの構成を示す模式図である。
【図１６】実施の形態４に係るサーバ装置が記憶部に記憶する利用者管理テーブルの構成例を示す模式図である。
【図１７】実施の形態４に係る管理者用端末装置が会議室への入室の際に行う処理の手順を示すフローチャートである。
【図１８】実施の形態４に係るサーバ装置が管理者用端末装置からの入室通知を受信した場合に行う処理の手順を示すフローチャートである。
【図１９】実施の形態４に係るサーバ装置が通信端末装置からの情報受信に応じて行う処理の手順を示すフローチャートである。
【図２０】実施の形態４に係る管理者用端末装置が会議室からの退室の際に行う処理の手順を示すフローチャートである。
【図２１】実施の形態４に係るサーバ装置が管理者用端末装置からの退室通知を受信した場合に行う処理の手順を示すフローチャートである。
【図２２】実施の形態４に係る通信端末装置がサーバ装置から遮断命令を受信した場合に行う処理の手順を示すフローチャートである。
【発明を実施するための形態】
【００２３】
（実施の形態１）
以下、本発明をその実施の形態を示す図面に基づき具体的に説明する。図１は、実施の形態１に係る無線通信システムの構成を示す模式図である。本実施の形態に係る無線通信システムは、会議室１００内で実施される会議に参加するユーザ１０１が、自身の所持するタブレット型端末装置又はスマートフォン等の通信端末装置１を利用する際に、無線ルータ４を介して社内ＬＡＮ又はインターネット等の外部ネットワークへ接続することを可能とするものである。本実施の形態に係る無線通信システムでは、ユーザ１０１が通信端末装置１に特定のアプリケーションプログラム（図２に示す通信制御プログラム１１ａ）を予めインストールしておくことにより、ユーザ１０１が会議室１００へ入室した際に、ユーザ１０１による通信端末装置１に対する特別な操作を必要とせず、自動的に通信端末装置１及び無線ルータ４の間の無線通信が可能となる。また本実施の形態に係る無線通信システムでは、ユーザ１０１が会議室１００から退出した場合、通信端末装置１及び無線ルータ４の間の無線通信が自動的に遮断される。
【００２４】
本実施の形態に係る無線通信システムは、一又は複数の通信端末装置１、無線信号（ビーコン）の送信を行うビーコン送信器２、サーバ装置３及び無線ルータ４等を備えて構成されている。通信端末装置１は、例えば会議に参加する各ユーザ１０１が所持する可搬型の装置である。ビーコン送信器２は、例えば会議室１００の略中央に配置され、所定の情報を含む無線信号を連続的又は周期的に送信している。図１においては、ビーコン送信器２が送信する無線信号の到達範囲２ａを破線の円で示してある。本実施の形態においてビーコン送信器２の無線信号の到達範囲２ａは、会議室１００内をできるだけ広範囲にカバーすると共に、会議室１００外には至らないように調整されている。ユーザ１０１が所持する通信端末装置１がビーコン送信器２の無線信号の到達範囲２ａ内に存在する場合に、ビーコン送信器２が送信した無線信号を通信端末装置１が受信する。なお通信端末装置１が無線ルータ４を介したネットワーク接続を行うことができるのは、厳密には会議室１００内ではなく、ビーコン送信器２の無線信号の到達範囲２ａ内である。
【００２５】
サーバ装置３は、会議室１００の内外のいずれに設置されていてもよく、会議室１００から遠隔の地に設置されていてもよい。通信端末装置１及びサーバ装置３は、無線ルータ４を介したネットワーク接続とは別の手段、例えば携帯電話通信網を利用した無線通信により情報の送受信を行う。無線ルータ４は、少なくとも無線通信可能な範囲が会議室１００全体をカバーするように、会議室１００内又はその近傍に設置される。無線ルータ４が送信する無線信号の到達範囲は、図１において図示は省略するが、会議室１００の外部を含んでいてもよい。無線ルータ４は、例えば電話回線、光回線又は社内ＬＡＮ等に接続され、通信端末装置１と外部ネットワークとの情報の送受信を中継する。
【００２６】
本実施の形態に係る無線通信システムでは、ビーコン送信器２が所定情報（例えばＵＵＩＤ（Universally Unique IDentifier））を含む無線信号を送信している。会議室１００に入出したユーザ１０１が所持する通信端末装置１が無線信号の到達範囲２ａ内に入り、ビーコン送信器２からの無線信号を受信した場合、通信端末装置１は、受信した無線信号に含まれる所定情報を抽出してサーバ装置３へ送信する。サーバ装置３は、ビーコン送信器２の所定情報に対応付けて、無線ルータ４との無線通信を行うために必要な認証情報（例えばＳＳＩＤ及びパスワード等）を記憶している。サーバ装置３は、通信端末装置１から所定情報を受信した場合、これに対応する認証情報を通信端末装置１へ送信する。通信端末装置１は、サーバ装置３から受信した認証情報を用いて無線ルータ４との間で認証処理を行う。認証処理に成功した場合、無線ルータ４は、通信端末装置１及び外部ネットワークの通信の中継を開始する。
【００２７】
また通信端末装置１は、ビーコン送信器２からの無線信号の受信を継続的に行っており、無線信号の受信の有無により自身が到達範囲２ａ内に存在するか否かを判定する。ビーコン送信器２の無線信号の到達範囲２ａから外へ出た場合、通信端末装置１は、無線ルータ４との接続を強制的に遮断する。またこのときに通信端末装置１は、内部のメモリなどにサーバ装置３から取得した認証情報が記憶されている場合、これを消去する。
【００２８】
図２は、通信端末装置１の構成を示すブロック図である。本実施の形態に係る通信端末装置１は、処理部１０、記憶部１１、操作部１２、表示部１３、ビーコン受信部１４、第１無線通信部１５及び第２無線通信部１６等を備えて構成されている。処理部１０は、ＣＰＵ（Central Processing Unit）又はＭＰＵ（Micro-Processing Unit）等の演算処理装置を用いて構成されている。処理部１０は、記憶部１１に記憶されたプログラムを読み出して実行することにより、種々の制御処理及び演算処理等を行う。
【００２９】
記憶部１１は、例えばフラッシュメモリなどの不揮発性のメモリ素子を用いて構成されている。記憶部１１は、処理部１０が実行する各種のプログラム及びこのプログラムの実行に必要なデータ等が記憶される。処理部１０は、記憶部１１に対するデータの読み出し及び書き込みを行うことができる。本実施の形態において記憶部１１は、無線ルータ４との無線通信に関する制御を行う通信制御プログラム１１ａを記憶している。通信制御プログラム１１ａは、通信端末装置１の記憶部１１にいわゆるプリインストールされていてもよく、ユーザ１０１の操作によりインターネットなどを介してダウンロードして記憶部１１に記憶されるものであってよい。また例えば通信端末装置１にメモリカード又は光ディスク等のデータ記録媒体を装着する機構が備えられている場合、通信制御プログラム１１ａはデータ記録媒体に記録されて販売又は配布等され、通信端末装置１に装着されたデータ記録媒体から記憶部１１へ通信制御プログラム１１ａがインストールされてもよい。
【００３０】
また本実施の形態において記憶部１１は、サーバ装置３から受信した認証情報１１ｂを一時的に記憶する。なお認証情報１１ｂは、不揮発性のメモリ素子に記憶しておく必要はなく、通信端末装置１がＳＲＡＭ（Static Random Access Memory）又はＤＲＡＭ（Dynamic Random Access Memory）等の揮発性のメモリを搭載している場合、これらのメモリに一時的に記憶してもよい。
【００３１】
操作部１２は、例えば通信端末装置１の筐体の適所に配されたボタン又はハードウェアキー等、及び／又は、表示部１３に対するタッチ操作を検知するタッチパネル等を用いて構成されている。操作部１２は、ユーザ１０１による操作入力を受け付けて処理部１０へ通知する。表示部１３は、例えば液晶パネルを用いて構成されており、処理部１０の制御により種々の画像を表示する。
【００３２】
本実施の形態に係るビーコン送信器２は、例えばＢＬＥ（Bluetooth（登録商標） Low Energy）の通信規格に従う無線信号を連続的又は周期的に送信している。図示は省略するが、ビーコン送信器２は、例えばＵＵＩＤを記憶する記憶部、記憶部に記憶されたＵＵＩＤを変調する変調回路、及び、変調された無線信号を送信するためのアンテナ等を備えて構成されている。またビーコン送信器２には、無線信号の到達範囲２ａを調整するための調整回路などを含んでいてもよい。ビーコン送信器２が送信する無線信号は、到達範囲２ａ内に存在する通信端末装置１のビーコン受信部１４にて受信される。
【００３３】
ビーコン受信部１４は、ビーコン送信器２が送信する無線信号を受信するためのアンテナなどを有し、受信した無線信号を復調してＵＵＩＤを取得し、取得したＵＵＩＤを処理部１０へ与える。なおビーコン受信部１４は、例えばBluetoothの通信規格による通信を行う通信回路などであってよい。
【００３４】
第１無線通信部１５は、例えば３Ｇ又は４Ｇ等の携帯電話通信網を介した通信を行う。本実施の形態において第１無線通信部１５は、携帯電話通信網を介してサーバ装置３との間で通信を行う。第１無線通信部１５は、上記のＵＵＩＤなどを含む送信用の情報が処理部１０から与えられた場合、この情報を変調した無線信号を送信することにより、ＵＵＩＤをサーバ装置３へ送信する。また第１無線通信部１５は、サーバ装置３からの認証情報を含む無線信号を受信した場合、受信した信号を復調して認証情報を抽出し、抽出した認証情報を処理部１０へ与える。
【００３５】
第２無線通信部１６は、例えば無線ＬＡＮの規格に従った無線通信を行う。本実施の形態において第２無線通信部１６は、無線ルータ４との間で無線通信を行う。無線ルータ４は複数のネットワーク間の通信を中継する装置であり、無線ルータ４を利用することにより通信端末装置１はインターネット又は社内ＬＡＮ等の外部ネットワークに接続することができる。
【００３６】
本実施の形態に係る無線ルータ４は、例えばＷＰＡ（Wi-Fi Protected Access）又はＷＰＡ２等の認証方式による認証処理を行い、認証処理に成功した装置との間で無線通信を行う。通信端末装置１は、無線ルータ４との通信を行うために、無線ルータ４を識別するためのＳＳＩＤ、及び、認証処理のためのパスワード等を含む認証情報をサーバ装置３から取得して、無線ルータ４との間で認証処理を行う。
【００３７】
図３は、サーバ装置３の構成を示すブロック図である。本実施の形態に係るサーバ装置３は、例えば汎用のコンピュータに特定のサーバプログラム３１ａをインストールすることにより実現される。サーバ装置３は、処理部３０、記憶部３１及び無線通信部３２等を備えて構成されている。処理部３０は、ＣＰＵ又はＭＰＵ等の演算処理装置を用いて構成されている。処理部３０は、記憶部３１に記憶されたサーバプログラム３１ａを読み出して実行することにより、通信端末装置１との通信処理及び認証情報の管理処理等を行う。
【００３８】
記憶部３１は、例えばハードディスク又はフラッシュメモリ等の記憶装置を用いて構成されている。記憶部３１は、処理部３０が実行する各種のプログラム及びこのプログラムの実行に必要なデータ等が記憶される。処理部３０は、記憶部３１に対するデータの読み出し及び書き込みを行うことができる。本実施の形態において記憶部３１は、サーバプログラム３１ａを記憶している。サーバプログラム３１ａは、例えばメモリカード又は光ディスク等のデータ記録媒体に記録されたものが提供され、このデータ記録媒体から読み出されて記憶部３１に記憶される。なおサーバプログラム３１ａは、インターネットなどを介してダウンロードして記憶部３１に記憶されるものであってもよい。
【００３９】
また本実施の形態において記憶部３１には、認証情報データベース（ＤＢ）３１ｂが設けられている。図４は、認証情報ＤＢ３１ｂの一例を示す模式図である。認証情報ＤＢ３１ｂには、ビーコン送信器２に対して一意的に付されるＵＵＩＤに対応付けて、無線ルータ４のＳＳＩＤ及びパスワード等の認証情報が記憶されている。認証情報ＤＢ３１ｂに記憶される各情報は、例えば無線通信システムの管理者などにより作成される。管理者は、ビーコン送信器２に付されたＵＵＩＤと無線ルータ４のＳＳＩＤ及びパスワード等とを会議室毎に調べ、これらを対応付けて認証情報ＤＢ３１ｂに登録しておく。
【００４０】
無線通信部３２は、例えば３Ｇ又は４Ｇ等の携帯電話通信網を介した通信を行う。本実施の形態において無線通信部３２は、携帯電話通信網を介して通信端末装置１との間で通信を行う。無線通信部３２は、通信端末装置１からのＵＵＩＤを含む無線信号を受信した場合、受信した信号を復調してＵＵＩＤを抽出し、抽出したＵＵＩＤを処理部３０へ与える。また無線通信部３２は、認証情報を含む送信用の情報が処理部３０から与えられた場合、この情報を変調した無線信号を送信することにより、認証情報を通信端末装置１へ送信する。なおサーバ装置３は、無線通信部３２を備えず、携帯電話通信網を介した無線通信を行う機能を有する他の通信装置に有線又は無線で接続され、この通信装置の機能を利用して通信端末装置１との無線通信を行う構成であってもよい。
【００４１】
図５は、通信端末装置１が無線ルータ４との無線通信を開始するまでの処理の手順を示すフローチャートである。なお本処理に先立って、通信端末装置１では通信制御プログラム１１ａが実行されており、ビーコン受信部１４、第１無線通信部１５及び第２無線通信部１６の機能が有効化されているものとする。通信端末装置１の処理部１０は、ビーコン受信部１４にてビーコン送信器２からの無線信号（ビーコン）を受信したか否かを判定する（ステップＳ１）。無線信号を受信していない場合（Ｓ１：ＮＯ）、処理部１０は、無線信号を受信するまで待機する。ビーコン送信器２からの無線信号を受信した場合（Ｓ１：ＹＥＳ）、処理部１０は、受信した無線信号に含まれるＵＵＩＤを取得する（ステップＳ２）。
【００４２】
次いで処理部１０は、取得したＵＵＩＤを含む送信用の情報を第１無線通信部１５へ与えることにより、サーバ装置３へＵＵＩＤを送信する（ステップＳ３）。その後、処理部１０は、サーバ装置３からの応答の有無を判定する（ステップＳ４）。サーバ装置３からの応答がない場合（Ｓ４：ＮＯ）、処理部１０は、応答を受信するまで待機する。サーバ装置３からの応答を第１無線通信部１５にて受信した場合（Ｓ４：ＹＥＳ）、処理部１０は、応答して受信した無線信号に含まれるＳＳＩＤ及びパスワード等の認証情報を取得する（ステップＳ５）。なお処理部１０は、取得したＳＳＩＤ及びパスワード等を認証情報１１ｂとして記憶部１１に記憶しておく。
【００４３】
次いで処理部１０は、取得したＳＳＩＤ及びパスワード等の認証情報を用い、第２無線通信部１６にて無線ルータ４との間で認証処理を行う（ステップＳ６）。処理部１０は、無線ルータ４からの応答として与えられる認証処理の結果を第２無線通信部１６にて受信し、認証処理に成功したか否かを判定する（ステップＳ７）。認証処理に成功した場合（Ｓ７：ＹＥＳ）、処理部１０は、第２無線通信部１６にて無線ルータ４を介したインターネット又は社内ＬＡＮ等の外部ネットワークとの通信を開始し（ステップＳ８）、処理を終了する。認証処理に失敗した場合（Ｓ７：ＮＯ）、処理部１０は、無線ルータ４との通信を遮断して、処理を終了する。
【００４４】
図６は、サーバ装置３が行う処理の手順を示すフローチャートである。サーバ装置３の処理部３０は、無線通信部３２にて通信端末装置１からの情報を受信したか否かを判定する（ステップＳ１１）。情報を受信していない場合（Ｓ１１：ＮＯ）、処理部３０は、情報を受信するまで待機する。通信端末装置１からの情報を受信した場合（Ｓ１１：ＹＥＳ）、処理部３０は、受信した情報に含まれるＵＵＩＤを取得する（ステップＳ１２）。処理部３０は、記憶部３１の認証情報ＤＢ３１ｂを参照して、ステップＳ１２にて取得したＵＵＩＤに対応するＳＳＩＤ及びパスワード等の認証情報を取得する（ステップＳ１３）。処理部３０は、取得したＳＳＩＤ及びパスワード等の認証情報を含む送信用の情報を無線通信部３２へ与えることにより、通信端末装置１へ応答としての情報送信を行い（ステップＳ１４）、処理を終了する。
【００４５】
図７は、通信端末装置１が行う無線通信の遮断処理の手順を示すフローチャートである。なお本処理は、図５に示した処理の完了後に行われる処理であり、ビーコン送信器２による無線信号（ビーコン）の送信周期などに応じて繰り返して行われる処理である。通信端末装置１の処理部１０は、ビーコン受信部１４にてビーコン送信器２からの無線信号（ビーコン）を受信したか否かを判定する（ステップＳ２１）。無線信号を受信した場合（Ｓ２１：ＹＥＳ）、処理部１０は、無線ルータ４との無線通信を継続して行い、ビーコン送信器２からの無線信号を受信しなくなるまで待機する。
【００４６】
ビーコン送信器２からの無線信号を受信しない場合（Ｓ２１：ＮＯ）、処理部１０は、第２無線通信部１６による無線ルータ４との無線通信を遮断する（ステップＳ２２）。次いで処理部１０は、記憶部１１に記憶されたＳＳＩＤ及びパスワード等の認証情報１１ｂを消去して（ステップＳ２３）、処理を終了する。
【００４７】
以上の構成の無線通信システムでは、ユーザ１０１が所持する通信端末装置１が無線ルータ４との無線通信を開始する場合、まず通信端末装置１は、ビーコン送信器２が無線送信するＵＵＩＤなどの所定情報を受信する。次いで通信端末装置１は、受信した所定情報に応じたＳＳＩＤ及びパスワード等の認証情報の取得を行い、取得した認証情報を用いて無線ルータ４との間で認証処理を行う。例えば通信端末装置１は、ビーコン送信器２から受信した無線信号に含まれる所定情報をサーバ装置３へ送信し、これに対する応答としてサーバ装置３から認証情報を取得する。ビーコン送信器２からの所定情報の受信に応じて通信端末装置１が認証情報を取得する構成であるため、ユーザ１０１は無線ルータ４を利用するための認証情報を通信端末装置１に入力するなどの作業を行う必要がない。また無線ルータ４を利用するためにはビーコン送信器２からの所定情報を通信端末装置１が受信する必要があるため、無線ルータ４の利用開始をビーコン送信器２による所定情報の送信範囲内に制限することが可能となる。
【００４８】
また通信端末装置１は、ビーコン送信器２が所定情報を送信する無線信号の到達範囲２ａ内に自身が存在するか否かを判定し、到達範囲２ａ内に存在しない場合には無線ルータ４との無線通信を遮断する。これにより無線ルータ４の利用をビーコン送信器２からの無線信号の到達範囲２ａ内に制限することが可能となる。
【００４９】
また通信端末装置１は、サーバ装置３から認証情報を取得した場合にこれを記憶部１１に記憶しておくが、無線ルータ４との無線通信を遮断した際には、記憶部１１に記憶しておいた認証情報を消去する。これにより通信端末装置１の記憶部１１に残された認証情報１１ｂを用いた無線ルータ４との再通信が行われることを防止できる。
【００５０】
またサーバ装置３は、無線ルータ４との認証処理を行うための認証情報を所定情報に対応付けて認証情報ＤＢ３１ｂに記憶しておく。通信端末装置１は、ビーコン送信器２から所定情報を受信した場合に、サーバ装置３との通信を行って所定情報をサーバ装置３へ送信する。サーバ装置３は、受信した所定情報に応じた認証情報を認証情報ＤＢ３１ｂから読み出して通信端末装置１へ送信する。これにより通信端末装置１は、所定情報に応じた認証情報を取得することができ、認証情報を記憶しておく必要がない。
【００５１】
なお本実施の形態においては、ビーコン送信器２による無線信号の到達範囲２ａは、無線ルータ４による無線信号の到達範囲よりも狭いものとする。ただし、両到達範囲が同程度であってもよく、ビーコン送信器２の到達範囲２ａが無線ルータ４の無線信号の到達範囲より広くてもよい。また本実施の形態において通信端末装置１はビーコン送信器２から所定情報を受信した場合に自動的にサーバ装置３との無線通信及び無線ルータ４との無線通信を行う構成としたが、例えばこれらの無線通信を行う前に表示部１３にメッセージ表示などを行い、ユーザ１０１から無線通信の可否を確認するなどの処理を行ってもよい。また通信端末装置１において通信制御プログラム１１ａは、例えばユーザ１０１の明示的な操作により起動されるものであってもよく、また例えば常駐又はバックグラウンド起動等のようにユーザ１０１の明示的な操作を必要とせずに起動されるものであってもよい。
【００５２】
（変形例）
また上述の実施の形態に係る無線通信システムにおいては、通信端末装置１がサーバ装置３から認証情報を取得する構成としたが、これに限るものではない。変形例に係る無線通信システムは、サーバ装置３を備えず、例えば通信端末装置１の記憶部１１に認証情報ＤＢを設けた構成とする。変形例に係る通信端末装置１は、ビーコン送信器２から所定情報を受信した場合、受信した所定情報に対応する認証情報を自らの記憶部１１の認証情報ＤＢから取得し、取得した認証情報を用いて無線ルータ４との無線通信を行う。認証情報ＤＢは、例えば通信制御プログラム１１ａと共にダウンロードされてもよく、例えば通信制御プログラム１１ａとは別に配信されるものであってもよく、また例えばシステムの管理者などが特定のユーザ１０１に対して配布するものであってもよく、これら以外の方法で提供されるものであってよい。
【００５３】
（実施の形態２）
図８は、実施の形態２に係る無線通信システムの構成を示す模式図である。実施の形態２に係る無線通信システムは、通信端末装置１による無線ルータ４の利用に対して更に制限を加える構成である。実施の形態２に係る無線通信システムでは、サーバ装置３が予めゲストＩＤを発行し、このゲストＩＤが設定された通信端末装置１が無線ルータ４との無線通信を行うことが可能となる。
【００５４】
実施の形態２に係る無線通信システムでは、システムの管理者１０２がサーバ装置３に対してゲストＩＤの発行を要求する。このときに管理者１０２は、例えばサーバ装置３に設けられたキーボード及びマウス等を用いた直接的な操作によりゲストＩＤの発行を要求してもよく、また例えばＰＣ又はスマートフォン等の別の装置を使用してサーバ装置３との有線又は無線の通信を行ってゲストＩＤの発行を要求してもよい。サーバ装置３は、ゲストＩＤの発行の要求が与えられた場合、例えばランダムな数値又は文字列等を生成し、これをゲストＩＤとして管理者１０２へ通知する。管理者１０２は、サーバ装置３が発行したゲストＩＤを例えば電子メール、郵送又は口頭等の手段によりユーザ１０１へ通知する。またサーバ装置３は、発行したゲストＩＤを記憶部３１に記憶しておく。
【００５５】
ゲストＩＤを通知されたユーザ１０１は、自身の通信端末装置１にて操作部１２に対する所定の操作を行うことにより通知されたゲストＩＤを入力する。通信端末装置１は、ユーザ１０１によるゲストＩＤの入力を操作部１２にて受け付け、受け付けたゲストＩＤを記憶部１１に記憶しておく。通信端末装置１は、ビーコン送信器２から所定情報を受信した場合、受信した所定情報と記憶部１１に記憶しておいたゲストＩＤとをサーバ装置３へ送信する。通信端末装置１からの情報を受信したサーバ装置３は、受信情報に含まれるゲストＩＤの正否を判定する。例えばサーバ装置３は、発行済みのゲストＩＤとして記憶部３１に記憶した一又は複数のゲストＩＤに、通信端末装置１から受信したゲストＩＤが含まれているか否かにより、ゲストＩＤの正否を判定する。ゲストＩＤが正しいものである場合、サーバ装置３は、このゲストＩＤと共に受信した所定情報に対応する認証情報を認証情報ＤＢ３１ｂから読み出して通信端末装置１へ送信する。以降の通信端末装置１における処理は実施の形態１の場合と同様である。ゲストＩＤが正しいものではない場合、サーバ装置３は、認証情報の送信を行わず、例えば通信端末装置１に対してエラーの通知などを行う。
【００５６】
図９は、実施の形態２に係る通信端末装置１が行うゲストＩＤの入力受付処理の手順を示すフローチャートである。通信端末装置１の処理部１０は、例えば表示部１３に表示したホーム画面において、ゲストＩＤの設定画面を表示するためのアイコンを表示している。処理部１０は、操作部１２を用いたこのアイコンに対する操作の有無を判定することにより、設定画面表示の操作がなされたか否かを判定する（ステップＳ３１）。設定画面表示の操作がなされていない場合（Ｓ３１：ＮＯ）、処理部１０は、この操作がなされるまで待機する。
【００５７】
設定画面表示の操作がなされた場合（Ｓ３１：ＹＥＳ）、処理部１０は、表示部１３にゲストＩＤの設定画面を表示する（ステップＳ３２）。処理部１０は、ゲストＩＤの設定画面にて所定の操作（例えば入力完了ボタンに対する操作など）がなされたか否かを判定することにより、ゲストＩＤの入力が完了したか否かを判定する（ステップＳ３３）。ゲストＩＤの入力が完了していない場合（Ｓ３３：ＮＯ）、処理部１０は、ステップＳ３２へ処理を戻し、設定画面の表示を継続する。ゲストＩＤの入力が完了した場合（Ｓ３３：ＹＥＳ）、処理部１０は、入力されたゲストＩＤを取得して記憶部１１に記憶し（ステップＳ３４）、処理を終了する。
【００５８】
図１０は、実施の形態２に係る通信端末装置１が行うサーバ装置３への情報送信処理の手順を示すフローチャートである。通信端末装置１の処理部１０は、ビーコン受信部１４にてビーコン送信器２からの無線信号（ビーコン）を受信したか否かを判定する（ステップＳ４１）。無線信号を受信していない場合（Ｓ４１：ＮＯ）、処理部１０は、無線信号を受信するまで待機する。ビーコン送信器２からの無線信号を受信した場合（Ｓ４１：ＹＥＳ）、処理部１０は、受信した無線信号に含まれるＵＵＩＤを取得する（ステップＳ４２）。また処理部１０は、記憶部１１に記憶したゲストＩＤを読み出す（ステップＳ４３）。
【００５９】
次いで処理部１０は、ステップＳ４２にて取得したＵＵＩＤ及びステップＳ４３にて読み出したゲストＩＤを含む送信用の情報を第１無線通信部１５へ与えることにより、サーバ装置３へＵＵＩＤ及びゲストＩＤを送信する（ステップＳ４４）。その後、処理部１０は、サーバ装置３からの応答の有無を判定する（ステップＳ４５）。サーバ装置３からの応答がない場合（Ｓ４５：ＮＯ）、処理部１０は、応答を受信するまで待機する。サーバ装置３からの応答を第１無線通信部１５にて受信した場合（Ｓ４５：ＹＥＳ）、処理部１０は、サーバ装置３からの応答がエラー通知であるか否かを判定する（ステップＳ４６）。応答がエラー通知である場合（Ｓ４６：ＹＥＳ）、処理部１０は、無線ルータ４との通信を行うことなく、処理を終了する。
【００６０】
サーバ装置３からの応答がエラー通知でない場合（Ｓ４６：ＮＯ）、処理部１０は、応答して受信した無線信号に含まれるＳＳＩＤ及びパスワード等の認証情報を取得する（ステップＳ４７）。処理部１０は、取得した認証情報を用いて、無線ルータ４との無線通信を開始する（ステップＳ４８）。なお処理部１０がこれ以降に行う処理は、図５のステップＳ６以降に示した処理と同じであるため、説明及び図示を省略する。
【００６１】
図１１は、実施の形態２に係るサーバ装置３が行う処理の手順を示すフローチャートである。サーバ装置３の処理部３０は、無線通信部３２にて通信端末装置１からの情報を受信したか否かを判定する（ステップＳ５１）。情報を受信していない場合（Ｓ５１：ＮＯ）、処理部３０は、情報を受信するまで待機する。通信端末装置１からの情報を受信した場合（Ｓ５１：ＹＥＳ）、処理部３０は、受信した情報に含まれるＵＵＩＤ及びゲストＩＤを取得する（ステップＳ５２）。処理部３０は、取得したゲストＩＤが正しいものであるか否かを、例えば登録済みのゲストＩＤであるか否かなどに基づいて判定する（ステップＳ５３）。
【００６２】
ゲストＩＤが正しいものである場合（Ｓ５３：ＹＥＳ）、処理部３０は、記憶部３１の認証情報ＤＢ３１ｂを参照して、ステップＳ５２にて取得したＵＵＩＤに対応するＳＳＩＤ及びパスワード等の認証情報を取得する（ステップＳ５４）。処理部３０は、取得したＳＳＩＤ及びパスワード等の認証情報を含む送信用の情報を無線通信部３２へ与えることにより、通信端末装置１へ応答としての情報送信を行い（ステップＳ５５）、処理を終了する。またゲストＩＤが正しいものではない場合（Ｓ５３：ＮＯ）、処理部３０は、通信端末装置１へエラー通知を行って（ステップＳ５６）、処理を終了する。
【００６３】
以上の構成の実施の形態２に係る無線通信システムでは、ビーコン送信器２から受信するＵＵＩＤとは別に、通信端末装置１がゲストＩＤを記憶部１１に記憶する。ＳＳＩＤ及びパスワード等の認証情報を取得する際に通信端末装置１は、ビーコン送信器２から受信したＵＵＩＤと、自らが記憶部１１に記憶しているゲストＩＤとをサーバ装置３へ送信する。サーバ装置３は、受信したゲストＩＤが例えば予め登録されているものであるか否かなどに基づき、ゲストＩＤの正否を判定する。ゲストＩＤが正しいと判定した場合、サーバ装置３は、ＳＳＩＤ及びパスワード等の認証情報を通信端末装置１へ送信する。
【００６４】
無線通信システムの管理者１０２は、サーバ装置３を操作してゲストＩＤの生成を行い、生成されたゲストＩＤをユーザ１０１へ通知する。このときにサーバ装置３は、管理者１０２の操作に応じて乱数などに基づくゲストＩＤの生成を行う。ゲストＩＤを通知されたユーザ１０１は、自身の通信端末装置１にゲストＩＤを入力する。通信端末装置１は、入力されたゲストＩＤを記憶部１１に記憶しておき、ビーコン送信器２からＵＵＩＤを受信した際に、記憶部１１に記憶されたゲストＩＤをＵＵＩＤと共にサーバ装置３へ送信する。
【００６５】
このような構成を採用することによって、実施の形態２に係る無線通信システムは、ゲストＩＤを通知したユーザ１０１に無線ルータ４の利用を制限することができる。
【００６６】
なお実施の形態２においては、ゲストＩＤをサーバ装置３が生成する構成としたが、これに限るものではなく、例えば管理者１０２が任意にゲストＩＤを生成し、サーバ装置３を操作して生成したゲストＩＤを登録しておく構成としてもよい。また管理者１０２からユーザ１０１へゲストＩＤを文字列などの形式で通知するのではなく、ゲストＩＤの情報を含む電子ファイルなどを電子メールなどに添付してユーザ１０１へ送信し、この電子メールを受信したユーザ１０１が電子メールに添付された電子ファイルを通信端末装置１に読み込ませることによって、通信端末装置１にゲストＩＤを設定する構成としてもよい。この場合には、ゲストＩＤを含む電子ファイルを暗号化してもよい。またゲストＩＤには、例えば有効期限などの制限を設けてもよい。
【００６７】
また、実施の形態２に係る無線通信システムのその他の構成は、実施の形態１に係る無線通信システムの構成と同様であるため、同様の箇所には同じ符号を付して詳細な説明を省略する。
【００６８】
（実施の形態３）
図１２は、実施の形態３に係る無線通信システムの構成を示す模式図である。実施の形態３に係る無線通信システムは、上述のゲストＩＤとは異なる方法で管理者１０２が無線ルータ４を利用するユーザ１０１の制限を行う構成である。実施の形態３に係る無線通信システムは、上述の通信端末装置１、ビーコン送信器２、サーバ装置３及び無線ルータ４に加えて、管理者１０２が使用する管理者用端末装置５を備えて構成されている。実施の形態３に係る通信端末装置１は、これを使用するユーザ１０１に対して付されたユーザＩＤ又は通信端末装置１に対して一意的に付された装置ＩＤ等のユーザ識別情報を記憶部１１に記憶している。通信端末装置１は、ビーコン送信器２からＵＵＩＤを受信した場合、受信したＵＵＩＤと共に記憶部１１に記憶したユーザ識別情報をサーバ装置３へ送信する。
【００６９】
実施の形態３に係るサーバ装置３は、記憶部３１の認証情報ＤＢ３１ｂに、ビーコン送信器２のＵＵＩＤに対応付けて、管理者１０２に付された管理者ＩＤ又は管理者用端末装置５に対して付された装置ＩＤ等の管理者識別情報を記憶している。通信端末装置１からＵＵＩＤ及びユーザ識別情報を受信したサーバ装置３は、受信したＵＵＩＤに対応付けられた管理者１０２が使用する管理者用端末装置５に対して、受信したユーザ識別情報を送信し、このユーザ識別情報に係るユーザ１０１による無線ルータ４の利用許可を要求する。
【００７０】
実施の形態３に係る管理者用端末装置５は、例えばタブレット型端末装置又はスマートフォン等のように、ユーザ１０１が使用する通信端末装置１とハードウェア構成が同じ装置を採用してよい（よって管理者用端末装置５のハードウェア構成については図示を省略する）。管理者用端末装置５は、記憶部に管理者用のプログラムが記憶されており、このプログラムの実行により管理者用端末装置５として動作する。又は、通信端末装置１と同じ通信制御プログラム１１ａを記憶し、この通信制御プログラム１１ａを管理者モードなどで動作させる構成であってもよい。よってサーバ装置３及び管理者用端末装置５は、例えば３Ｇ又は４Ｇ等の携帯電話通信網を介した無線通信を行う。
【００７１】
サーバ装置３からの許可要求を受信した管理者用端末装置５は、許可要求と共に与えられるユーザ識別情報を示して、管理者１０２に無線ルータ４の利用の可否を問い合わせる。このときに管理者用端末装置５は、表示部に問い合わせ画面を表示し、利用を許可するか否かの選択を操作部にて受け付ける。問い合わせ画面には、許可を求めるユーザ１０１を管理者１０２が識別することが可能なように、ユーザ識別情報又はこれに関連付けられたユーザ名等が表示される。管理者用端末装置５は、管理者１０２による選択を受け付け、利用を許可するか否かの応答をサーバ装置３へ送信する。管理者用端末装置５からの応答を受信したサーバ装置３は、無線ルータ４の利用の許可が得られた場合に、通信端末装置１に対して認証情報の送信を行う。許可が得られなかった場合には、サーバ装置３は、認証情報を送信せず、例えばエラー通知などを通信端末装置１へ送信する。
【００７２】
以下、実施の形態３に係る無線通信システムの各装置が行う処理をフローチャートにて説明する。ただし通信端末装置１が行う処理は、図１０のフローチャートに示した処理と略同じであるため、フローチャートの図示を省略する。実施の形態３に係る通信端末装置１が行う処理は、図１０のフローチャートにおいてゲストＩＤと記載されている箇所をユーザ識別情報と読み替えればよい。即ち、実施の形態３に係る通信端末装置１は、ビーコン送信器２からの無線信号を受信した場合に、受信した無線信号からＵＵＩＤを取得し、記憶部１１からユーザ識別情報を読み出して、ＵＵＩＤ及びユーザ識別情報をサーバ装置３へ送信する。
【００７３】
図１３は、実施の形態３に係るサーバ装置３が行う処理の手順を示すフローチャートである。サーバ装置３の処理部３０は、無線通信部３２にて通信端末装置１からの情報を受信したか否かを判定する（ステップＳ６１）。情報を受信していない場合（Ｓ６１：ＮＯ）、処理部３０は、情報を受信するまで待機する。通信端末装置１からの情報を受信した場合（Ｓ６１：ＹＥＳ）、処理部３０は、受信した情報に含まれるＵＵＩＤ及びユーザ識別情報を取得する（ステップＳ６２）。処理部３０は、記憶部３１の認証情報ＤＢ３１ｂを参照して受信したＵＵＩＤに対応する管理者用端末装置５を検索し、この管理者用端末装置５へ通信端末装置１から受信したユーザ識別情報を送信して無線ルータ４の利用の許可を要求する（ステップＳ６３）。処理部３０は、この許可要求に対する管理者用端末装置５からの応答を受信したか否かを判定する（ステップＳ６４）。応答を受信していない場合（Ｓ６４：ＮＯ）、処理部３０は、応答を受信するまで待機する。
【００７４】
管理者用端末装置５からの応答を受信した場合（Ｓ６４：ＹＥＳ）、処理部３０は、受信した応答に基づいて無線ルータ４の利用が許可されたか否かを判定する（ステップＳ６５）。利用が許可された場合（Ｓ６５：ＹＥＳ）、処理部３０は、記憶部３１の認証情報ＤＢ３１ｂを参照して、ステップＳ６２にて取得したＵＵＩＤに対応するＳＳＩＤ及びパスワード等の認証情報を取得する（ステップＳ６６）。処理部３０は、取得したＳＳＩＤ及びパスワード等の認証情報を含む送信用の情報を無線通信部３２へ与えることにより、通信端末装置１へ応答としての情報送信を行い（ステップＳ６７）、処理を終了する。また管理者用端末装置５から無線ルータ４の利用が許可されなかった場合（Ｓ６５：ＮＯ）、処理部３０は、通信端末装置１へエラー通知を行って（ステップＳ６８）、処理を終了する。
【００７５】
図１４は、実施の形態３に係る管理者用端末装置５が行う処理の手順を示すフローチャートである。管理者用端末装置５は、携帯電話通信網を介してサーバ装置３から許可要求を受信したか否かを判定する（ステップＳ７１）。許可要求を受信していない場合（Ｓ７１：ＮＯ）、管理者用端末装置５は、許可要求を受信するまで待機する。許可要求を受信した場合（Ｓ７１：ＹＥＳ）、管理者用端末装置５は、許可要求と共に受信するユーザ識別情報を示して、このユーザによる無線ルータ４の利用を許可するか否かの問い合わせ画面を表示部に表示する（ステップＳ７２）。管理者用端末装置５は、操作部に対する操作の有無などに応じて、無線ルータ４の利用の可否を選択する操作がなされたか否かを判定する（ステップＳ７３）。操作がなされていない場合（Ｓ７３：ＮＯ）、管理者用端末装置５は、操作がなされるまで待機する。操作がなされた場合（Ｓ７３：ＹＥＳ）、管理者用端末装置５は、この操作を受け付けることにより得られる無線ルータ４の利用の可否に関する情報を、サーバ装置３へ応答として送信し（ステップＳ７４）、処理を終了する。
【００７６】
以上の構成の実施の形態３に係る無線通信システムは、サーバ装置３と通信可能な管理者用端末装置５を更に備える構成である。サーバ装置３は、通信端末装置１からＵＵＩＤを受信した場合、管理者用端末装置５へ無線ルータ４の利用の許可を要求する。この要求に応じて管理者用端末装置５は、管理者１０２に利用の可否を問合わせ、管理者１０２による可否の入力を受け付けて、受け付けた可否に係る情報を応答としてサーバ装置３へ送信する。サーバ装置３は、管理者用端末装置５から許可が与えられた場合に、ＵＵＩＤに対応するＳＳＩＤ及びパスワード等の認証情報を通信端末装置１へ送信する。これらの構成により実施の形態３に係る無線通信システムは、通信端末装置１による無線ルータ４の利用の可否を、管理者用端末装置５を有する管理者１０２がリアルタイムに管理することができる。
【００７７】
なお実施の形態３においては、管理者１０２が管理者用端末装置５を使用する構成としたが、これに限るものではない。例えばサーバ装置３にディスプレイ、キーボード及びマウス等の入出力機器が備えられている場合、管理者１０２はサーバ装置３を使用して通信端末装置１による無線ルータ４の利用の許可を行う構成としてもよい。即ち、サーバ装置３と管理者用端末装置５とが一体の構成であってもよい。またサーバ装置３及び管理者用端末装置５は、携帯電話通信網を介した無線通信を行うのではなく、有線通信を行う構成であってもよい。また実施の形態３において管理者用端末装置５は、通信端末装置１と略同じハードウェア構成としたが、これに限るものではなく、異なるハードウェア構成であってもよい。例えば管理者用端末装置５は、例えばビーコン送信器２との通信を行うビーコン受信部を備えていなくてよい。
【００７８】
また、実施の形態３に係る無線通信システムのその他の構成は、実施の形態２に係る無線通信システムの構成と同様であるため、同様の箇所には同じ符号を付して詳細な説明を省略する。
【００７９】
（実施の形態４）
図１５は、実施の形態４に係る無線通信システムの構成を示す模式図である。実施の形態４に係る無線通信システムは、会議室１００内に管理者１０２が存在するか否かに応じて、通信端末装置１による無線ルータ４の利用を制限する構成である。実施の形態４に係る無線通信システムは、通信端末装置１、ビーコン送信器２、サーバ装置３、無線ルータ４及び管理者用端末装置５を備えて構成されている。実施の形態４に係る管理者用端末装置５は、携帯電話通信網を介したサーバ装置３との無線通信を行うことができると共に、ビーコン送信器２が送信する無線信号を受信することができる。
【００８０】
実施の形態４に係る無線通信システムでは、会議室１００内へ管理者１０２が入室し、ビーコン送信器２の無線信号の到達範囲２ａ内に管理者用端末装置５が入った場合、ビーコン送信器２が送信する無線信号が管理者用端末装置５にて受信される。管理者用端末装置５は、ビーコン送信器２からの無線信号を受信した場合、受信した無線信号に含まれるＵＵＩＤを取得し、取得したＵＵＩＤをサーバ装置３へ送信して管理者１０２が会議室１００内へ入室した旨を通知する。このときに管理者用端末装置５は、装置に対して付された装置ＩＤ又は管理者１０２に対して付された管理者ＩＤ等の管理者識別情報をＵＵＩＤと共にサーバ装置３へ送信する。実施の形態４に係るサーバ装置３は、ビーコン送信器２のＵＵＩＤに対応付けて、管理者１０２が存在するか否かを示す情報を記憶部３１に記憶する。
【００８１】
通信端末装置１は、ビーコン送信器２からの無線信号を受信した場合、無線信号に含まれるＵＵＩＤを取得して、自身が記憶しているユーザ識別情報と共にサーバ装置３へ送信する。通信端末装置１からＵＵＩＤ及びユーザ識別情報を受信したサーバ装置３は、このＵＵＩＤに対応する管理者の情報を参照し、管理者１０２が会議室１００内に存在するか否かを判定する。管理者１０２が会議室１００内に存在する場合、サーバ装置３は、ＵＵＩＤに対応するＳＳＩＤ及びパスワード等の認証情報を認証情報ＤＢ３１ｂから取得して通信端末装置１へ送信する。またサーバ装置３は、認証情報を送信した通信端末装置１に係るユーザ識別情報を、ビーコン送信器２のＵＵＩＤに対応付けて記憶しておく。なお管理者１０２が存在しない場合、サーバ装置３は、認証情報の送信を行わず、エラー通知などを通信端末装置１へ送信する。
【００８２】
図１６は、実施の形態４に係るサーバ装置３が記憶部３１に記憶する利用者管理テーブルの構成例を示す模式図である。サーバ装置３が記憶する利用者管理テーブルは、例えば会議室に付された会議室番号と、この会議室に設置されたビーコン送信器２に付されたＵＵＩＤと、この会議室若しくはＵＵＩＤに紐づけられた管理者１０２の情報を保存するための管理者情報と、管理者１０２が会議室に存在するかを識別する管理者存在情報と、この会議室内にて無線ルータ４の利用を許可されたユーザ１０１を識別するためのユーザ情報とが対応付けて記憶される。本例の利用者管理テーブルでは、会議室番号として１０１，１０２，１０３…の数値が付されており、ＵＵＩＤとしてＡＡＡＡ，ＢＢＢＢ，ＤＤＤＤ…の文字列が付されている。また管理者情報として、管理者用端末装置５から受信した管理者識別情報、例えばＲ００１０，Ｒ００２４，Ｒ００３１…などの文字及び数値を組み合わせた情報が記憶されている。なお、一つの会議室に対して複数の管理者が登録されていてもよい。また、管理者存在情報として、会議室若しくはＵＵＩＤに紐づけられた管理者１０２が会議室に存在する場合に、当該管理者１０２の管理者識別情報が記憶されている。なお管理者存在情報は、利用者管理テーブルの管理者情報として管理者識別情報が登録された管理者１０２が、この会議室に存在するか否かを例えば０又は１の２値で表すフラグなどの情報であってもよい。またユーザ情報として、通信端末装置１から受信したユーザ識別情報、例えばＵ１１３，Ｕ２９７，Ｕ３３９、Ｕ４１２…などの文字及び数値を組み合わせた情報が記憶されている。
【００８３】
サーバ装置３は、管理者用端末装置５からＵＵＩＤ及び管理者識別情報を受信した場合に、受信したＵＵＩＤに対応する利用者管理テーブルの管理者情報に登録された管理者識別情報と、受信した管理者識別情報とが一致するか否かを判定する。両管理者識別情報が一致する場合、サーバ装置３は、利用者管理テーブルの管理者存在情報に、受信した管理者識別情報を記憶する。サーバ装置３は、通信端末装置１からＵＵＩＤ及びユーザ識別情報を受信した場合、受信したＵＵＩＤに対応する利用者管理テーブルの管理者存在情報を調べ、この会議室に管理者１０２が存在するか否かに応じて通信端末装置１へ認証情報を送信するか否かを判定する。サーバ装置３は、通信端末装置１へ認証情報を送信した場合、この通信端末装置１から受信したユーザ識別情報を利用者管理テーブルに記憶する。なお利用者管理テーブルのユーザ情報には、複数のユーザ識別情報が登録され得る。
【００８４】
また実施の形態４に係る管理者用端末装置５は、ビーコン送信器２から送信される無線信号の受信を継続的に行っている。管理者１０２が会議室１００から退室し、管理者用端末装置５がビーコン送信器２からの無線信号の到達範囲２ａ外へ出た場合、管理者用端末装置５はビーコン送信器２からの無線信号を受信できなくなる。ビーコン送信器２からの無線信号を受信できる状態から受信できない状態へ変化した場合、管理者用端末装置５は、受信できなくなった無線信号に係るＵＵＩＤと自身の管理者識別情報をサーバ装置３へ送信し、管理者１０２の会議室１００からの退室をサーバ装置３へ通知する。
【００８５】
管理者用端末装置５から退室を通知されたサーバ装置３は、通知と共に受信したＵＵＩＤに対応する管理者存在情報に登録された管理者識別情報を削除する。またサーバ装置３は、受信したＵＵＩＤに対応付けて利用者管理テーブルに記憶されているユーザ情報を調べ、無線ルータ４の利用を許可した一又は複数の通信端末装置１に対して、無線ルータ４との無線通信を遮断する命令を送信する。遮断命令を受信した通信端末装置１は、無線ルータ４との接続を強制的に遮断する。またこのときに通信端末装置１は、内部のメモリなどにサーバ装置３から取得した認証情報が記憶されている場合、これを消去する。
【００８６】
図１７は、実施の形態４に係る管理者用端末装置５が会議室１００への入室の際に行う処理の手順を示すフローチャートである。管理者用端末装置５は、ビーコン送信器２からの無線信号（ビーコン）を受信したか否かを判定する（ステップＳ８１）。無線信号を受信していない場合（Ｓ８１：ＮＯ）、管理者用端末装置５は、無線信号を受信するまで待機する。ビーコン送信器２からの無線信号を受信した場合（Ｓ８１：ＹＥＳ）、管理者用端末装置５は、受信した無線信号に含まれるＵＵＩＤを取得する（ステップＳ８２）。次いで管理者用端末装置５は、自身の記憶部などに記憶した管理者識別情報を読み出す（ステップＳ８３）。管理者用端末装置５は、ステップＳ８２にて取得したＵＵＩＤと、ステップＳ８３にて読み出した管理者識別情報とをサーバ装置３へ送信することにより、管理者１０２の入室を通知し（ステップＳ８４）、処理を終了する。なお管理者用端末装置５は、ステップＳ８２にて取得したＵＵＩＤを記憶部などに記憶しておく。
【００８７】
図１８は、実施の形態４に係るサーバ装置３が管理者用端末装置５からの入室通知を受信した場合に行う処理の手順を示すフローチャートである。サーバ装置３の処理部３０は、無線通信部３２にて管理者用端末装置５からの入室通知を受信したか否かを判定する（ステップＳ９１）。入室通知を受信していない場合（Ｓ９１：ＮＯ）、処理部３０は、入室通知を受信するまで待機する。入室通知を受信した場合（Ｓ９１：ＹＥＳ）、処理部３０は、入室通知と共に受信する情報からＵＵＩＤ及び管理者識別情報を取得する（ステップＳ９２）。処理部３０は、記憶部３１に記憶した利用者管理テーブルを参照し、ステップＳ９２にて取得したＵＵＩＤに対応する管理者情報に登録された管理者識別情報と、ステップＳ９２にて取得した管理者識別情報とが一致するか否かを判定する（ステップＳ９３）。両管理者識別情報が一致しない場合（Ｓ９３：ＮＯ）、処理部３０は、処理を終了する。両管理者識別情報が一致する場合（Ｓ９３：ＹＥＳ）、処理部３０は、利用者管理テーブルの対応する管理者存在情報に、ステップＳ９２にて取得した管理者識別情報を登録し（ステップＳ９４）、処理を終了する。
【００８８】
図１９は、実施の形態４に係るサーバ装置３が通信端末装置１からの情報受信に応じて行う処理の手順を示すフローチャートである。サーバ装置３の処理部３０は、無線通信部３２にて通信端末装置１からの情報を受信したか否かを判定する（ステップＳ１０１）。情報を受信していない場合（Ｓ１０１：ＮＯ）、処理部３０は、情報を受信するまで待機する。通信端末装置１からの情報を受信した場合（Ｓ１０１：ＹＥＳ）、処理部３０は、受信した情報に含まれるＵＵＩＤ及びユーザ識別情報を取得する（ステップＳ１０２）。
【００８９】
処理部３０は、記憶部３１に記憶した利用者管理テーブルを参照し、ステップＳ１０２にて取得したＵＵＩＤに対応する管理者存在情報に管理者識別情報が登録されているか否かを調べることにより、管理者１０２が入室済みであるか否かを判定する（ステップＳ１０３）。管理者１０２が入室済みである場合（Ｓ１０３：ＹＥＳ）、処理部３０は、記憶部３１の認証情報ＤＢ３１ｂを参照して、ステップＳ１０２にて取得したＵＵＩＤに対応するＳＳＩＤ及びパスワード等の認証情報を取得する（ステップＳ１０４）。処理部３０は、取得したＳＳＩＤ及びパスワード等の認証情報を含む送信用の情報を無線通信部３２へ与えることにより、通信端末装置１へ応答としての情報送信を行う（ステップＳ１０５）。処理部３０は、利用者管理テーブルのユーザ情報に、ステップＳ１０２にて取得したユーザ識別情報を登録して（ステップＳ１０６）、処理を終了する。これに対して管理者１０２が入室していない場合（Ｓ１０３：ＮＯ）、処理部３０は、通信端末装置１へエラー通知を行って（ステップＳ１０７）、処理を終了する。
【００９０】
図２０は、実施の形態４に係る管理者用端末装置５が会議室１００からの退室の際に行う処理の手順を示すフローチャートである。なお本処理は、図１７の処理によりサーバ装置３への入室通知を行った後に管理者用端末装置５が行う処理である。管理者用端末装置５は、ビーコン送信器２からの無線信号（ビーコン）を受信したか否かを判定する（ステップＳ１１１）。無線信号を受信した場合（Ｓ１１１：ＹＥＳ）、管理者用端末装置５は、無線信号を受信しなくなるまで待機する。ビーコン送信器２からの無線信号を受信しない場合（Ｓ１１１：ＮＯ）、管理者用端末装置５は、以前に受信した無線信号に含まれていたＵＵＩＤを記憶しておいたものを読み出す（ステップＳ１１２）。また管理者用端末装置５は、自身の記憶部などに記憶した管理者識別情報を読み出す（ステップＳ１１３）。管理者用端末装置５は、ステップＳ１１２にて読み出したＵＵＩＤと、ステップＳ１１３にて読み出した管理者識別情報とをサーバ装置３へ送信することにより、管理者１０２の退室を通知し（ステップＳ１１４）、処理を終了する。
【００９１】
図２１は、実施の形態４に係るサーバ装置３が管理者用端末装置５からの退室通知を受信した場合に行う処理の手順を示すフローチャートである。サーバ装置３の処理部３０は、無線通信部３２にて管理者用端末装置５からの退室通知を受信したか否かを判定する（ステップＳ１２１）。退室通知を受信していない場合（Ｓ１２１：ＮＯ）、処理部３０は、退室通知を受信するまで待機する。退室通知を受信した場合（Ｓ１２１：ＹＥＳ）、処理部３０は、退室通知と共に受信する情報からＵＵＩＤ及び管理者識別情報を取得する（ステップＳ１２２）。処理部３０は、記憶部３１に記憶した利用者管理テーブルから、ステップＳ１２２にて取得したＵＵＩＤに対応する管理者存在情報に登録された管理者識別情報を削除する（ステップＳ１２３）。次いで処理部３０は、利用者管理テーブルにステップＳ１２２にて取得したＵＵＩＤに対応するユーザ情報として登録されたユーザ識別情報に基づいて、通信端末装置１へ無線ルータ４との無線通信を遮断する命令を送信し（ステップＳ１２４）、処理を終了する。
【００９２】
図２２は、実施の形態４に係る通信端末装置１がサーバ装置３から遮断命令を受信した場合に行う処理の手順を示すフローチャートである。通信端末装置１の処理部１０は、第１無線通信部１５にてサーバ装置３から遮断命令を受信したか否かを判定する（ステップＳ１３１）。遮断命令を受信していない場合（Ｓ１３１：ＮＯ）、処理部１０は、無線ルータ４との無線通信を継続して行い、遮断命令を受信するまで待機する。遮断命令を受信した場合（Ｓ１３１：ＹＥＳ）、処理部１０は、第２無線通信部１６による無線ルータ４との無線通信を遮断する（ステップＳ１３２）。次いで処理部１０は、記憶部１１に記憶されたＳＳＩＤ及びパスワード等の認証情報１１ｂを消去して（ステップＳ１３３）、処理を終了する。
【００９３】
以上の構成の実施の形態４に係る無線通信システムは、ビーコン送信器２及びサーバ装置３との無線通信が可能な管理者用端末装置５を更に備える。管理者用端末装置５は、ビーコン送信器２がＵＵＩＤを送信する無線信号の到達範囲２ａ内に自身が存在するか否かを判定し、判定結果をサーバ装置３へ通知する。サーバ装置３は、到達範囲２ａ内に管理者用端末装置５が存在する場合には通信端末装置１への認証情報の送信を行い、到達範囲２ａ内に管理者用端末装置５が存在しない場合には通信端末装置１への認証情報の送信を行わない。管理者用端末装置５が到達範囲２ａから出た場合、サーバ装置３は、無線ルータ４を利用している通信端末装置１に対して、無線ルータ４との無線通信を遮断する命令を送信する。通信端末装置１は、サーバ装置３からの遮断命令に応じて、無線ルータ４との無線通信を遮断する。これにより、通信端末装置１による無線ルータ４の利用の可否を、管理者用端末装置５がビーコン送信器２の到達範囲２ａ内に存在するか否かに応じて制限することが可能となる。
【００９４】
なお実施の形態４において、管理者用端末装置５は無線ルータ４との無線通信を行っていないが、管理者用端末装置５が無線ルータ４との無線通信を行う構成としてもよい。この場合、管理者用端末装置５から入室通知を受信したサーバ装置３は、認証情報ＤＢ３１ｂからＳＳＩＤ及びパスワード等の認証情報を読み出して管理者用端末装置５へ送信する構成としてよい。又は、管理者用端末装置５は予め認証情報を記憶しており、サーバ装置３から認証情報を受信することなく無線ルータ４との無線通信を行うことができる構成であってもよい。
【００９５】
また、実施の形態４に係る無線通信システムのその他の構成は、実施の形態３に係る無線通信システムの構成と同様であるため、同様の箇所には同じ符号を付して詳細な説明を省略する。
【００９６】
本実施の形態に係る無線通信システムは、無線により通信を中継する中継装置（４）と、無線信号の到達範囲内（２ａ）に所定情報を無線送信する情報送信装置（２）と、前記中継装置（４）及び前記情報送信装置（２）との無線通信を行うことが可能な通信端末装置（１）とを備える無線通信システムであって、前記通信端末装置（１）は、前記情報送信装置（２）から無線送信される所定情報を受信する情報受信部（１４）と、該情報受信部（１４）が受信した所定情報に応じて、前記中継装置（４）との間で認証処理を行うための認証情報を取得する認証情報取得部（１０）と、該認証情報取得部（１０）が取得した認証情報を用いて前記中継装置との間で認証処理を行う認証処理部（１０）とを有し、前記中継装置（４）は、前記認証処理を行った通信端末装置（１）との間で無線通信を行うようにしてあることを特徴とする。
【００９７】
本実施の形態においては、例えばユーザ（１０１）が所持する通信端末装置（１）が中継装置（４）との無線通信を開始する場合、まず通信端末装置（１）は情報送信装置（２）が無線送信する所定情報を受信する。次いで通信端末装置（１）は、受信した所定情報に応じた認証情報の取得を行い、取得した認証情報を用いて中継装置（４）との間で認証処理を行う。認証処理に成功した場合、中継装置（４）及び通信端末装置（１）の間の無線通信が開始される。なお通信端末装置（１）は、例えば認証情報を記憶しておいき、受信した所定情報に応じた認証情報を記憶したもののなかから取得する構成としてもよく、また例えば他の装置（３）から所定情報に応じた認証情報を取得する構成としてもよい。
情報送信装置（２）からの所定情報の受信に応じて通信端末装置（１）が認証情報を取得する構成であるため、ユーザは中継装置（４）を利用するための認証情報を通信端末装置（１）に入力するなどの作業を行う必要がない。また中継装置（４）を利用するためには情報送信装置（２）からの所定情報を通信端末装置（１）が受信する必要があるため、中継装置（４）の利用開始を情報送信装置（１）による所定情報の送信範囲内に制限することが可能となる。
【００９８】
また、本実施の形態に係る無線通信システムは、前記通信端末装置（１）が、前記情報送信装置（２）からの無線信号を受信しない場合に、前記中継装置（４）との無線通信を遮断する遮断部（１０）を有することを特徴とする。
【００９９】
また本実施の形態においては、情報送信装置（２）が所定情報を送信する無線信号の到達範囲内（２ａ）に自身が存在するか否かを通信端末装置（１）が判定し、到達範囲内（２ａ）に存在しない場合には通信端末装置（１）が中継装置（４）との無線通信を遮断する。これにより中継装置（４）の利用を情報送信装置（２）からの無線信号の到達範囲（２ａ）内に制限することが可能となる。
【０１００】
また、本実施の形態に係る無線通信システムは、前記通信端末装置（１）が、前記認証情報取得部（１０）が取得した認証情報を記憶する記憶部（１１）を有し、前記遮断部（１０）は、前記中継装置（４）との無線通信を遮断すると共に、前記記憶部（１１）に記憶された認証情報（１１ｂ）を消去するようにしてあることを特徴とする。
【０１０１】
また本実施の形態においては、通信端末装置（１）は認証情報を取得した場合にこれを記憶しておくが、中継装置（４）との無線通信を遮断した際には、記憶した認証情報（１１ｂ）を消去する。これにより通信端末装置（１）内の記憶部（１１）に残された認証情報を用いた中継装置（４）との再通信が行われることを防止できる。
【０１０２】
また、本実施の形態に係る無線通信システムは、前記所定情報及び前記認証情報を対応付けて記憶した記憶部（３１）を有するサーバ装置（３）を更に備え、前記通信端末装置（１）は、前記情報受信部（１４）が受信した所定情報を前記サーバ装置（３）へ送信し、前記サーバ装置（３）は、前記通信端末装置（１）から受信した所定情報に対応付けられた認証情報を前記記憶部（３１）から読み出して前記通信端末装置（１）へ送信し、前記認証情報取得部（１０）は、前記サーバ装置（３）が送信した前記認証情報を受信して取得するようにしてあることを特徴とする。
【０１０３】
また本実施の形態においては、中継装置（４）との認証処理を行うための認証情報を所定情報に対応付けてサーバ装置（３）が記憶しておき、通信端末装置（１）にはサーバ装置（３）との間で通信を行う機能を設ける。通信端末装置（１）は、情報送信装置（２）から所定情報を受信した場合に、サーバ装置（３）との通信を行って所定情報を送信する。サーバ装置（３）は、受信した所定情報に応じた認証情報を読み出し、通信端末装置（１）へ送信する。これにより通信端末装置（１）は、所定情報に応じた認証情報を取得することができ、認証情報を記憶しておく必要がない。
【０１０４】
また、本実施の形態に係る無線通信システムは、前記通信端末装置（１）が、第２の所定情報を記憶する記憶部（１１）を有し、前記通信端末装置（１）の前記認証情報取得部（１０）は、前記情報受信部（１４）が受信した所定情報及び前記記憶部（１１）に記憶された第２の所定情報を前記サーバ装置（３）へ送信し、前記サーバ装置（３）は、前記通信端末装置（１）から受信した前記第２の所定情報の正否を判定する判定部（３０）を有し、該判定部（３０）が前記第２の所定情報が正しいと判定した場合に、前記通信端末装置（１）から受信した所定情報に対応付けられた認証情報を前記記憶部（３１）から読み出して前記通信端末装置（１）へ送信するようにしてあることを特徴とする。
【０１０５】
また、本実施の形態に係る無線通信システムは、前記通信端末装置（１）が、前記第２の所定情報の入力を受け付ける入力受付部（１２）を有し、該入力受付部（１２）が受け付けた第２の所定情報を前記記憶部（１１）に記憶するようにしてあることを特徴とする。
【０１０６】
また本実施の形態においては、情報送信装置（２）から受信する所定情報とは別に、通信端末装置（１）が第２の所定情報を記憶する。認証情報を取得する際に通信端末装置（１）は、情報送信装置（２）から受信した所定情報と、自らが記憶している第２の所定情報とをサーバ装置（３）へ送信する。サーバ装置（３）は、受信した第２の所定情報が例えば予め登録されているものであるか否かなどに基づき、第２の所定情報の正否を判定する。第２の所定情報が正しいと判定した場合、サーバ装置（３）は認証情報を通信端末装置（１）へ送信する。例えば中継装置（４）を利用するためのゲストＩＤなどを第２の所定情報としてユーザに対して発行し、ユーザが通信端末装置（１）に第２の所定情報を入力することによって、第２の所定情報が通信端末装置（１）に記憶される構成とすることができる。これらの構成により、中継装置（４）の利用を更に制限することが可能となる。
【０１０７】
また、本実施の形態に係る無線通信システムは、前記サーバ装置（３）と通信可能な第２の通信端末装置（５）を更に備え、前記サーバ装置（３）は、前記通信端末装置（１）から前記所定情報を受信した場合に、前記第２の通信端末装置（５）へ前記認証情報の送信の許可を要求する要求部（３０）を有し、該要求部（３０）の要求に対する前記第２の通信端末装置（５）からの許可が得られた場合に、前記通信端末装置（１）から受信した所定情報に対応付けられた認証情報を前記記憶部（３１）から読み出して前記通信端末装置（１）へ送信するようにしてあることを特徴とする。
【０１０８】
また、本実施の形態に係る無線通信システムは、前記第２の通信端末装置（５）は、前記サーバ装置（３）の前記要求部（３０）からの要求に応じて、前記認証情報の送信の可否に係る入力を受け付け、受け付けた可否に係る情報を前記サーバ装置（３）へ送信するようにしてあることを特徴とする。
【０１０９】
また本実施の形態においては、サーバ装置（３）と通信可能な第２の通信端末装置（５）を更に備える。サーバ装置（３）は、通信端末装置（１）から所定情報を受信した場合、第２の通信端末装置（５）へ認証情報の送信の許可を要求する。この要求に応じて第２の通信端末装置（５）は、認証情報の送信の可否に係る入力を受け付け、受け付けた可否に係る情報をサーバ装置（３）へ送信する。サーバ装置（３）は、第２の通信端末装置（５）から認証情報の送信許可が与えられた場合に、通信端末装置（１）へ認証情報を送信する。これにより、通信端末装置（１）による中継装置（４）の利用の可否を、第２の通信端末装置（５）を使用している管理者（１０２）が管理することが可能となる。
【０１１０】
また、本実施の形態に係る無線通信システムは、前記サーバ装置（３）及び前記情報送信装置（２）との間で無線通信を行うことが可能な第２の通信端末装置（５）を更に備え、該第２の通信端末装置（５）は、前記情報送信装置（２）からの無線信号の受信の可否を前記サーバ装置（３）へ通知し、前記サーバ装置（３）は、前記第２の通信端末装置（５）から無線信号を受信しない旨の通知が与えられた場合に、前記通信端末装置（１）及び前記中継装置（４）の無線通信を遮断する遮断部（３０）を有することを特徴とする。
【０１１１】
また、本実施の形態に係る無線通信システムは、前記サーバ装置（３）の前記遮断部（３０）が、前記通信端末装置（１）へ無線通信の遮断命令を送信するようにしてあり、前記通信端末装置（１）は、前記サーバ装置（３）から前記遮断命令を受信した場合に、前記中継装置（４）との無線通信を遮断する遮断部（１０）を有することを特徴とする。
【０１１２】
また本実施の形態においては、サーバ装置（３）及び情報送信装置（２）と無線通信可能な第２の通信端末装置（５）を更に備える。なおこの第２の通信端末装置（５）は、上記の認証情報の送信可否を受け付ける管理者用端末装置（１）と同様構成の装置であってもよく、別構成の装置であってもよい。第２の通信端末装置（５）は、情報送信装置（２）が所定情報を送信する無線信号の到達範囲（２ａ）内に自身が存在するか否かを判定し、判定結果をサーバ装置（３）へ通知する。到達範囲（２ａ）内に第２の通信端末装置（５）が存在しない旨の通知が与えられた場合、サーバ装置（３）は、中継装置（４）との無線通信を遮断する命令を通信端末装置（１）へ送信する。通信端末装置（１）は、サーバ装置（３）からの遮断命令に応じて、中継装置（４）との無線通信を遮断する。これにより、通信端末装置（１）による中継装置（４）の利用の可否を、第２の通信端末装置（５）が存在するか否かに応じて制限することが可能となる。
【０１１３】
また、本実施の形態に係る通信制御方法は、無線により通信を中継する中継装置（４）、及び、該中継装置（４）との無線通信を行うことが可能な通信端末装置（１）の間の無線通信を制御する通信制御方法であって、無線信号の到達範囲（２ａ）内に所定情報を無線送信する情報送信装置（２）から、前記通信端末装置（１）が前記所定情報を受信し、受信した所定情報に応じて、前記中継装置（４）との間で認証処理を行うための認証情報を取得し、取得した認証情報を用いて前記中継装置（４）との間で認証処理を行い、該認証処理を行った前記中継装置（４）及び前記通信端末装置（１）の間で無線通信を行うことを特徴とする。
【０１１４】
また、本実施の形態に係る通信端末装置（１）は、無線により通信を中継する中継装置（４）及び無線信号の到達範囲（２ａ）内に所定情報を無線送信する情報送信装置（２）との無線通信を行うことが可能な通信端末装置（１）であって、前記情報送信装置（２）から無線送信される所定情報を受信する情報受信部（１４）と、該情報受信部（１４）が受信した所定情報に応じて、前記中継装置（４）との間で認証処理を行うための認証情報を取得する認証情報取得部（３０）と、該認証情報取得部（３０）が取得した認証情報を用いて前記中継装置（４）との間で認証処理を行う認証処理部（４）とを備えることを特徴とする。
【０１１５】
また、本実施の形態に係る通信制御プログラム（１１ａ）は、無線により通信を中継する中継装置（４）及び無線信号の到達範囲（２ａ）内に所定情報を無線送信する情報送信装置（２）との無線通信を行うことが可能な通信端末装置（１）を、前記情報送信装置（２）から無線送信される所定情報を受信する情報受信部（１４）と、該情報受信部（１４）が受信した所定情報に応じて、前記中継装置（４）との間で認証処理を行うための認証情報を取得する認証情報取得部（１０）と、該認証情報取得部（１０）が取得した認証情報を用いて前記中継装置（４）との間で認証処理を行う認証処理部（１０）として動作させることを特徴とする。
【符号の説明】
【０１１６】
１  通信端末装置
２  ビーコン送信器
２ａ  到達範囲
３  サーバ装置
４  無線ルータ
５  管理者用端末装置
１０  処理部
１１  記憶部
１１ａ  通信制御プログラム
１１ｂ  認証情報
１２  操作部
１３  表示部
１４  ビーコン受信部
１５  第１無線通信部
１６  第２無線通信部
３０  処理部
３１  記憶部
３１ａ  サーバプログラム
３１ｂ  認証情報ＤＢ
３２  無線通信部
１００  会議室
１０１  ユーザ
１０２  管理者
【図１】
0006516543.tif 000002
【図２】
0006516543.tif 000003
【図３】
0006516543.tif 000004
【図４】
0006516543.tif 000005
【図５】
0006516543.tif 000006
【図６】
0006516543.tif 000007
【図７】
0006516543.tif 000008
【図８】
0006516543.tif 000009
【図９】
0006516543.tif 000010
【図１０】
0006516543.tif 000011
【図１１】
0006516543.tif 000012
【図１２】
0006516543.tif 000013
【図１３】
0006516543.tif 000014
【図１４】
0006516543.tif 000015
【図１５】
0006516543.tif 000016
【図１６】
0006516543.tif 000017
【図１７】
0006516543.tif 000018
【図１８】
0006516543.tif 000019
【図１９】
0006516543.tif 000020
【図２０】
0006516543.tif 000021
【図２１】
0006516543.tif 000022
【図２２】
0006516543.tif 000023